(57)【要約】  【課題】  再生データに対応する任意の文字をフォントに関係なく表示することを可能にする再生装置、再生システム、送出装置及びコンピュータプログラムを提供する。  【解決手段】  音声ファイル（再生データ）に対応付けられたタイトル文字をタイトル画像（文字画像データ）に変換し、音声ファイル及び該音声ファイルに対応するタイトル画像の送信を行うコンピュータ３０と、コンピュータ３０から送信された音声ファイル及びタイトル画像を受信し、音声ファイルの再生処理を行う際に、再生すべき音声ファイルに対応するタイトル画像の表示処理を行う音声プレーヤ１０とを用いる。【選択図】      図１
2006228329.tif 000002
【特許請求の範囲】
【請求項１】
再生データ及び該再生データに対応する文字を含む文字画像データを受付ける受付手段と、
再生データの再生処理を行う再生手段と、
再生処理を行う再生データに対応する文字画像データの表示処理を行う画像表示手段と
を備えることを特徴とする再生装置。
【請求項２】
前記受付手段は、再生データと文字画像データとの対応関係を示す対応データを受付けるように構成してあり、
前記画像表示手段は、対応データに基づいて、再生処理を行う再生データに対応する文字画像データの表示処理を行うように構成してあることを特徴とする請求項１記載の再生装置。
【請求項３】
前記再生データは音楽データであり、
前記文字画像データは曲名、歌手名、奏者名、又はジャンル名の少なくとも１つを表す文字を含むことを特徴とする請求項１又は２記載の再生装置。
【請求項４】
再生データに対応する文字データを画像化して文字画像データに変換する変換手段と、該変換手段が変換した文字画像データ及び再生データの送出を行う送出手段とを有する送出装置、
及び、
該送出装置から送出された再生データ及び文字画像データを受付ける受付手段と、再生データの再生処理を行う再生手段と、再生処理を行う再生データに対応する文字画像データの表示処理を行う画像表示手段とを有する再生装置
を備えることを特徴とする再生システム。
【請求項５】
前記送出装置は、再生データ及び文字画像データの対応関係を示す対応データを作成する作成手段を備え、
前記再生装置の受付手段は対応データを受付けるように構成してあり、前記再生装置の画像表示手段は、対応データに基づいて、再生処理を行う再生データに対応する文字画像データの表示処理を行うように構成してあることを特徴とする請求項４記載の再生システム。
【請求項６】
音楽データに対応する文字データを画像化して文字画像データに変換する変換手段と、
該変換手段が変換した文字画像データ及び音楽データの送出を行う送出手段と
を備えることを特徴とする送出装置。
【請求項７】
音楽データ及び文字画像データの対応関係を示す対応データを作成する作成手段を備え、
前記送出手段は、音楽データ、文字画像データ及び対応データの送出を行うように構成してあることを特徴とする請求項６記載の送出装置。
【請求項８】
コンピュータに、音楽データに対応する文字データを画像化させて文字画像データに変換させる手順と、
コンピュータに、変換した文字画像データ及び音楽データを送出させる手順と
を含むことを特徴とするコンピュータプログラム。
【発明の詳細な説明】
【技術分野】
【０００１】
本発明は、再生データの再生を行う再生装置、再生装置への再生データの送出を行う送出装置、再生装置への再生データの送出をコンピュータに行わせるコンピュータプログラム、及び、前記再生装置と前記送出装置とを備える再生システムに関する。
【背景技術】
【０００２】
音声データの再生を行う再生装置の多くは、液晶表示パネルを備えており、再生する音声データのデータ名などをテキスト表示したり、再生する音声データに付加されている曲名などをテキスト表示することが可能である。また、映像データの再生を行う映像再生装置においても、タイトル名などの文字データ（テキストデータ）を画像データに変換し、変換した画像データを表示画像にオーバーレイ表示することにより、テキスト表示を行うことが可能である（例えば、特許文献１参照）。
【０００３】
図５は、音声プレーヤ（再生装置）及び音声プレーヤに音声ファイルを送出するコンピュータ（送出装置）の構成例を示すブロック図である。音声プレーヤ１０は、音声ファイルなどを記憶するフラッシュメモリ１４と、プログラム及びフォントデータなどを記憶するＲＯＭ（Read Only Memory）１６と、液晶表示パネルなどの表示パネル１８と、押ボタン式スイッチなどの操作キー２０と、デジタル音声信号をアナログ音声信号に変換するＤＡＣ（デジタル・アナログ・コンバータ）２４と、ＵＳＢ・ＩＦ（Universal Serial Bus・InterFace）２２と、ＲＯＭ１６に記憶されているプログラムを実行して音声ファイルの再生及び装置内の各構成部の制御などを行うＣＰＵ１２と、ＤＡＣ２４に接続されたイヤホン端子又はスピーカなどの出力部２６とを備える。
【０００４】
コンピュータ３０は、プログラム及び音声ファイルなどを記憶するＨＤＤ（hard disk drive）３６と、キーボード４０と、ディスプレイ３８と、メモリ３４と、ＵＳＢ・ＩＦ４２と、ＨＤＤ３６に記憶されているプログラムを実行して各種演算及び装置内の各構成部の制御などを行うＣＰＵ３２とを備える。ＨＤＤ３６に記憶されている音声ファイルには、音声データだけでなく、テキストデータ（文字データ）であるタイトルテキストも含まれている。
【０００５】
図６は、コンピュータ３０から音声プレーヤ１０への音声ファイルの送信手順の例を示すフローチャートである。なお、音声ファイルの送信（送出）を行う前に、ＵＳＢケーブル４８を用いて、コンピュータ３０と音声プレーヤ１０とが接続される。コンピュータ３０は、キーボード４０で、送信する音声ファイルの選択を受付ける（Ｓ１０）。その後、キーボード４０で送信開始を受付け（Ｓ１２）、ＵＳＢ・ＩＦ４２から音声ファイルの送信（Ｓ２２）を行う。音声プレーヤ１０のＣＰＵ１２は、ＵＳＢ・ＩＦ２２で受付けた音声ファイルをフラッシュメモリ１４に記憶する。
【０００６】
図７は、音声ファイル再生時のタイトル表示手順の例を示すフローチャートである。操作キー２０で再生指示を受付けたり、連続再生中に次の音声ファイルに切換わるなどして、新しい音声ファイルを再生する場合（Ｓ３０：ＹＥＳ）、ＣＰＵ１２は、再生する音声ファイルからタイトルテキストを抽出し（Ｓ３６）、抽出したタイトルテキストを、フォントを用いて表示パネル１８に表示する（Ｓ３８）。
【特許文献１】特開平２−２４７６９３号公報
【発明の開示】
【発明が解決しようとする課題】
【０００７】
しかし、テキストデータ（文字データ）は、フォントを用いて文字の表示を行うため、扱える文字の制限が多いという問題がある。例えば英数文字しか扱えず、日本語（平仮名、カタカナ及び漢字）は扱えない場合がある。また、日本語を扱える場合であっても、一般的には、英語以外の外国語の文字は扱えない場合が殆どである。また、日本語を扱える場合であっても、フォントが存在する文字しか表示できないという問題がある。特に、漢字などの文字の種類が多い言語については、フォントが存在しないために表示できない文字が数多くある。また、フォントの文字数を増加させることも考えられるが、フォントのデータサイズが増大するという新たな問題が生じる。
【０００８】
本発明は斯かる事情に鑑みてなされたものであり、再生データ及び該再生データに対応する文字画像データを受付ける受付手段と、再生処理を行う再生データに対応する文字画像データの表示処理を行う画像表示手段とを備えることにより、フォントに関係なく、再生データに対応する任意の文字を表示することができる再生装置及び再生システムを提供することを目的とする。
【０００９】
また、本発明は、再生データと画像データとの対応関係を示す対応データに基づいて、再生処理を行う再生データに対応する文字画像データの表示処理を行うように構成することにより、再生データに対応する任意の文字を表示することができる再生装置及び再生システムを提供することを他の目的とする。
【００１０】
また、本発明は、再生データは音楽データであり、文字画像データが曲名、歌手名、奏者名、又はジャンル名の少なくとも一つを表す文字を含むことにより、任意の漢字又は任意の外国語の文字などを用いて、音楽データに対応する曲名、歌手名、奏者名、又はジャンル名などの文字を表示することができる再生装置を提供することを他の目的とする。
【００１１】
また、本発明は、音楽データなどの再生データに対応する文字データを画像化して文字画像データに変換し、変換した文字画像データ及び再生データの送出を行うように構成することにより、フォントを有しない送出先であっても、文字の表示が可能となる送出装置、再生システム及びコンピュータプログラムを提供することを他の目的とする。
【００１２】
また、本発明は、音楽データなどの再生データ及び文字画像データの対応関係を示す対応データを作成する作成手段を備え、作成した対応データを送出するように構成したことにより、フォントを有しない送出先であっても、文字の表示が可能となる送出装置及び再生システムを提供することを他の目的とする。
【課題を解決するための手段】
【００１３】
本発明に係る再生装置は、再生データ及び該再生データに対応する文字を含む文字画像データを受付ける受付手段と、再生データの再生処理を行う再生手段と、再生処理を行う再生データに対応する文字画像データの表示処理を行う画像表示手段とを備えることを特徴とする。
【００１４】
本発明に係る再生装置は、前記受付手段は、再生データと文字画像データとの対応関係を示す対応データを受付けるように構成してあり、前記画像表示手段は、対応データに基づいて、再生処理を行う再生データに対応する文字画像データの表示処理を行うように構成してあることを特徴とする。
【００１５】
本発明に係る再生装置は、前記再生データは音楽データであり、前記文字画像データは曲名、歌手名、奏者名、又はジャンル名の少なくとも１つを表す文字を含むことを特徴とする。
【００１６】
本発明に係る再生システムは、再生データに対応する文字データを画像化して文字画像データに変換する変換手段と、該変換手段が変換した文字画像データ及び再生データの送出を行う送出手段とを有する送出装置、及び、該送出装置から送出された再生データ及び文字画像データを受付ける受付手段と、再生データの再生処理を行う再生手段と、再生処理を行う再生データに対応する文字画像データの表示処理を行う画像表示手段とを有する再生装置を備えることを特徴とする。
【００１７】
本発明に係る再生システムは、前記送出装置は、再生データ及び文字画像データの対応関係を示す対応データを作成する作成手段を備え、前記再生装置の受付手段は対応データを受付けるように構成してあり、前記再生装置の画像表示手段は、対応データに基づいて、再生処理を行う再生データに対応する文字画像データの表示処理を行うように構成してあることを特徴とする。
【００１８】
本発明に係る送出装置は、音楽データに対応する文字データを画像化して文字画像データに変換する変換手段と、該変換手段が変換した文字画像データ及び音楽データの送出を行う送出手段とを備えることを特徴とする。
【００１９】
本発明に係る送出装置は、音楽データ及び文字画像データの対応関係を示す対応データを作成する作成手段を備え、前記送出手段は、音楽データ、文字画像データ及び対応データの送出を行うように構成してあることを特徴とする。
【００２０】
本発明に係るコンピュータプログラムは、コンピュータに、音楽データに対応する文字データを画像化させて文字画像データに変換させる手順と、コンピュータに、変換した文字画像データ及び音楽データを送出させる手順とを含むことを特徴とする。
【００２１】
本発明においては、再生手段が再生データの再生処理を行う場合、再生データに対応する文字を画像化した文字画像データの表示処理を画像表示手段が行うため、装置が備える表示パネルには再生中の再生データに対応する文字画像が表示される。文字画像は、例えば再生ファイルに付加しておくことが可能である。文字画像を表示する場合、フォントを用いて表示を行う場合の文字の制限などは生じず、任意の漢字又は任意の外国語の文字などを表示することができる。
【００２２】
本発明においては、再生手段が再生データの再生処理を行う場合、画像表示手段は、再生データに対応する文字を画像化した文字画像データの表示処理を、再生データと文字画像データとの対応関係を示す対応データに基づいて行うことができる。そのため、装置が備える表示パネルには再生中の再生データに対応する文字画像が表示される。
【００２３】
本発明においては、再生データは音楽データであり、文字画像データが曲名、歌手名、奏者名、又はジャンル名の少なくとも一つを表す文字を含むため、フォントを用いて表示を行う場合の文字の制限などは生じず、任意の漢字又は任意の外国語の文字などを用いて曲名、歌手名、奏者名、又はジャンル名などを表示することができる。また、文字画像データは、曲名、歌手名、奏者名、又はジャンル名以外に、例えば作曲者名、作詞者名、会社名、又は音楽データのデータ名などを表す文字を含むことが可能である。さらに、文字画像データは、例えば曲名、歌手名、奏者名、ジャンル名、作曲者名、作詞者名、会社名、及び音楽データのデータ名の中から選択した１又は複数を含むことが可能である。
【００２４】
本発明においては、音楽データなどの再生データに対応するテキストデータなどの文字データを画像化して文字画像データに変換し、変換した文字画像データ及び再生データの送信を送出手段が行うため、送信先の再生装置がフォントを有しない場合であっても、文字画像によって文字を表示することが可能となる。送信先の再生装置に、任意の漢字又は任意の外国語の文字などを表示させることが可能となる。文字画像データは、例えば再生データに付加することが可能である。
【００２５】
本発明においては、音楽データなどの再生データ及び文字画像データの対応関係を示す対応データを作成手段が作成し、再生データ、文字画像データ及び対応データの送信を送出手段が行うため、送信先の再生装置がフォントを有しない場合であっても、対応データに基づいて、再生データに対応する文字画像によって文字を表示することが可能となる。
【発明の効果】
【００２６】
本発明によれば、フォントに関係なく、再生データに対応する任意の漢字又は任意の外国語の文字などを表示することができる。
【００２７】
本発明によれば、任意の漢字又は任意の外国語の文字などを用いて、音楽データに対応する曲名、歌手名、奏者名、ジャンルなどを表示することができる。
【００２８】
本発明によれば、フォントを有しない送信先であっても、再生データに対応する文字画像によって文字を表示することが可能となる。
【発明を実施するための最良の形態】
【００２９】
以下、本発明をその実施の形態を示す図面に基づいて具体的に説明する。
図１は、本発明に係る音声プレーヤ（再生装置）及び音声プレーヤに音声ファイルを送出するコンピュータ（送出装置）を含む再生システムの構成例を示すブロック図である。音声プレーヤ１０は、ＭＰ３（MPEG Audio Layer-3）ファイルなどの音声ファイル及び設定情報などを記憶するフラッシュメモリ１４と、プログラムなどを記憶するＲＯＭ１６と、液晶表示パネルなどの表示パネル１８と、押ボタン式スイッチなどの操作キー２０と、デジタル音声信号をアナログ音声信号に変換するＤＡＣ２４と、ＵＳＢ・ＩＦ２２と、ＲＯＭ１６に記憶されているプログラムを実行して音声ファイル（再生ファイル）の再生及び装置内の各構成部の制御などを行うＣＰＵ（再生手段）１２と、ＤＡＣ２４に接続されたイヤホン端子又はスピーカなどの出力部２６とを備える。なお、操作キー２０は、リモートコントローラの場合もある。上述したＣＰＵ１２、フラッシュメモリ１４、ＲＯＭ１６、表示パネル１８、操作キー２０、ＵＳＢ・ＩＦ２２、及びＤＡＣ２４は共通のバスに接続されている。
【００３０】
コンピュータ３０は、プログラム及び音声ファイルなどを記憶するＨＤＤ３６と、キーボード４０と、ディスプレイ３８と、メモリ３４と、ＵＳＢ・ＩＦ４２と、ＨＤＤ３６に記憶されているプログラムを実行して各種演算及び装置内の各構成部の制御などを行うＣＰＵ３２とを備える。なお、キーボード４０はマウスを含む場合もある。上述したＣＰＵ３２、メモリ３４、ＨＤＤ３６、ディスプレイ３８、キーボード４０、及びＵＳＢ・ＩＦ４２は共通のバスに接続されている。また、図示していないが、ＣＤ（Compact Disk）−ＲＯＭドライブなどの補助記憶装置も前記バスに接続されている。
【００３１】
コンピュータ３０のＣＰＵ３２は、音声ファイルに対応する文字データ（テキストデータ）を画像化してＢＭＰ（Bitmap）データなどの文字画像データ（以下、タイトル画像という）に変換する変換手段として動作し、変換したタイトル画像を音声ファイルに付加する。ＵＳＢ・ＩＦ４２は、タイトル画像が付加された音声ファイルの音声プレーヤ１０への送出を行う送出手段として動作する。
【００３２】
ＣＤ−ＲＯＭ等の記録媒体３９に記録されたコンピュータプログラムを図示しない前記ＣＤ−ＲＯＭドライブで読出してＨＤＤ３６又はメモリ３４に記憶してＣＰＵ３２に実行させることにより、ＣＰＵ３２を上述した各手段として動作させることが可能である。また、コンピュータ３０がＬＡＮ（Local Area Network）などに接続されている場合は、ネットワーク経由で他の装置からコンピュータプログラムを受付けてＨＤＤ３６又はメモリ３４に記憶することも可能である。
【００３３】
音声プレーヤ１０のＵＳＢ・ＩＦ２２は、タイトル画像及び音声ファイル（タイトル画像は音声ファイルに付加されている）を受付ける受付手段として動作する。また、フラッシュメモリ１４には、タイトル画像が付加された音声ファイルが記憶されている。タイトル画像は画像化された文字を含む。本実施の形態では、音声ファイルは音楽データであり、タイトル画像は曲名を含む。ＣＰＵ１２は、再生する音声ファイルに付加されているタイトル画像の表示パネル１８への表示処理を行う画像表示手段として動作する。
【００３４】
図２は、コンピュータ３０から音声プレーヤ１０への音声ファイルの送信手順の例を示すフローチャートである。なお、音声ファイルの送信（送出）を行う前に、ＵＳＢケーブル４８を用いて、コンピュータ３０と音声プレーヤ１０とが接続される。コンピュータ３０は、キーボード４０で、送信する音声ファイルの選択を受付ける（Ｓ１０）。例えば、ディスプレイ３８に表示された音声ファイルリストの中から、１又は複数の音声ファイルの選択をキーボード４０で受付ける。その後、キーボード４０で送信開始を受付け（Ｓ１２）、タイトル画像が未作成の音声ファイルが無い場合（Ｓ１４：ＮＯ）、タイトル画像が付加された音声ファイルの送信（Ｓ２０）を行う。
【００３５】
タイトル画像が未作成の音声ファイルがある場合（Ｓ１４：ＹＥＳ）、ＣＰＵ３２は、音声ファイルからタイトルテキストを抽出（Ｓ１６）してメモリ３４に記憶し、抽出したタイトルテキストを画像（タイトル画像）に変換（Ｓ１８）してメモリ３４に記憶し、ＨＤＤ３６に記憶されている音声ファイルに付加し、タイトル画像が付加された音声ファイルの送信（Ｓ２０）を行う。音声ファイルの送信（Ｓ２０）は、例えばＣＰＵ３２の制御により、ＨＤＤ３６から送信すべき音声ファイルを読出してＵＳＢ・ＩＦ４２から送信する。音声プレーヤ１０のＣＰＵ１２は、ＵＳＢ・ＩＦ２２で受付けた音声ファイルをフラッシュメモリ１４に記憶する。
【００３６】
図３は、音声ファイル再生時のタイトル表示手順の例を示すフローチャートである。操作キー２０で再生指示を受付けたり、連続再生中に次の音声ファイルに切換わるなどして、新しい音声ファイルを再生する場合（Ｓ３０：ＹＥＳ）、ＣＰＵ１２は、再生する音声ファイルのタイトル画像を抽出（Ｓ３２）し、抽出したタイトル画像を表示パネル１８に表示する（Ｓ３４）。
【００３７】
上述した実施の形態においては、音声プレーヤ１０及びコンピュータ３０をＵＳＢケーブル４８で接続したが、例えば音声プレーヤ１０及びコンピュータ３０をインターネットなどの通信回線を介して接続することも可能である。また、音声プレーヤ１０及びコンピュータ３０を無線接続することも可能である。また、上述した実施の形態においては、タイトル画像を音声ファイルに付加したが、タイトル画像を付加しないことも可能である。付加しない場合は、音声ファイルとタイトル画像との対応関係を示す対応データなどを用いる。
【００３８】
図４は、本発明に係る音声プレーヤ（再生装置）及び音声プレーヤに音声ファイルを送出するコンピュータ（送出装置）を含む再生システムの他の構成例を示すブロック図である。コンピュータ３０の構成は上述した実施の形態（図１）とほぼ同様であるが、ＵＳＢ・ＩＦ４２の代わりにＬＡＮ（Local Area Network）・ＩＦなどのネットワークＩＦ４３を備えており、インターネットなどの通信ネットワーク４４に接続されている。また、音声プレーヤ１０の構成は上述した実施の形態（図１）とほぼ同様であるが、ＵＳＢ・ＩＦ２２の代わりに無線ＩＦなどのネットワークＩＦ２３を備えており、インターネットなどの通信ネットワーク４４に無線接続することが可能である。
【００３９】
また、コンピュータ３０のＣＰＵ３２は、音声ファイルに対応する文字データを画像化して文字画像データ（タイトル画像）に変換する変換手段、及び、音声ファイル及びタイトル画像の対応関係を示す対応データを作成する作成手段として動作し、ＨＤＤ３６には、音声ファイル（タイトル画像は付加されていない）、タイトル画像、及び対応データが記憶されている。ネットワークＩＦ４３は、音声ファイル、タイトル画像及び対応データの音声プレーヤ１０への送信（送出）を行う送出手段として動作する。
【００４０】
音声プレーヤ１０のネットワークＩＦ２３は、音声ファイル、タイトル画像、及び対応データを受付ける受付手段として動作し、受付けた音声ファイル、タイトル画像、及び対応データはフラッシュメモリ１４に記憶される。ＣＰＵ１２は、音声ファイルを再生する再生手段、及び、対応データに基づいて、再生すべき音声ファイルに対応するタイトル画像の表示パネル１８への表示処理を行う画像表示手段として動作する。
【００４１】
図４に示した実施例において、ＣＰＵ３２により、対応データを音声ファイルに付加することも可能である。また、上述した各実施の形態においては、曲名の文字画像（タイトル画像）を例にして説明したが、例えば音声ファイル名（データ名）の文字画像を用いるなど、任意文字を画像化した文字画像を用いることが可能である。また、曲名だけでなく、曲名、歌手名、作曲者名、作詞者名、会社名、及びジャンルの中の１又は複数を文字画像で表示することも可能である。なお、文字は、日本語（平仮名、カタカナ、漢字）に限定はされず、外国語の文字であってもよい。また、文字だけに限定はされず、例えばタイトル画像に絵又は図形等を含めることも可能である。
【００４２】
また、上述した各実施の形態において、音声プレーヤ１０のＣＰＵ１２により、タイトル画像の表示サイズを表示パネル１８の表示領域サイズに合わせて拡大又は縮小することも可能である。逆に、コンピュータ３０のＣＰＵ３２が音声プレーヤ１０からタイトル画像の最適表示サイズを取得し、取得したサイズのタイトル画像に文字を変換することも可能である。
【００４３】
上述した各実施の形態において、再生する音声ファイルにタイトルテキストが付加されており、タイトルテキストのフォントが存在する場合、音声プレーヤ１０のＣＰＵ１２は、従来と同様にフォントを用いてタイトルテキストの表示を行い、フォントが存在しない場合は文字画像の表示を行うことも可能である。
【００４４】
また、上述した各実施の形態においては、再生装置として音声ファイルを再生する音声プレーヤを例にして説明したが、例えば映像ファイルを再生する映像プレーヤに本発明を適用したり、例えば音声再生機能及び表示パネルを有する携帯電話などの任意の再生装置に本発明を適用することが可能である。
【図面の簡単な説明】
【００４５】
【図１】本発明に係る音声プレーヤ（再生装置）及び音声プレーヤに音声ファイルを送出するコンピュータ（送出装置）を含む再生システムの構成例を示すブロック図である。
【図２】コンピュータから音声プレーヤへの音声ファイルの送信手順の例を示すフローチャートである。
【図３】音声ファイル再生時のタイトル表示手順の例を示すフローチャートである。
【図４】本発明に係る音声プレーヤ及び音声プレーヤに音声ファイルを送出するコンピュータを含む再生システムの他の構成例を示すブロック図である。
【図５】従来の音声プレーヤ及び音声プレーヤに音声ファイルを送出する従来のコンピュータの構成例を示すブロック図である。
【図６】コンピュータから音声プレーヤへの音声ファイルの従来の送信手順の例を示すフローチャートである。
【図７】音声ファイル再生時の従来のタイトル表示手順の例を示すフローチャートである。
【符号の説明】
【００４６】
１０  音声プレーヤ
１２、３２  ＣＰＵ
１４  フラッシュメモリ
１８  表示パネル
２２、４２  ＵＳＢ・ＩＦ
２３、４３  ネットワークＩＦ
２６  出力部
３０  コンピュータ
３６  ＨＤＤ
４４  通信ネットワーク
４８  ＵＳＢケーブル
【図１】
2006228329.tif 000003
【図２】
2006228329.tif 000004
【図３】
2006228329.tif 000005
【図４】
2006228329.tif 000006
【図５】
2006228329.tif 000007
【図６】
2006228329.tif 000008
【図７】
2006228329.tif 000009